(57)【要約】  ハイブリッド自動再送要求（ＨＡＲＱ）フィードバック情報を送信する方法、ユーザー装置及び基地局を開示した。前記方法は、ＨＡＲＱバンドリングを行うデータの受信ウィンドウを特定することと、前記受信ウィンドウ内でデータを検出することと、前記受信ウィンドウ内で検出したデータに対するＨＡＲＱフィードバック情報をバンドリングして送信することと、を含む。前記方法、ユーザー装置及び基地局によれば、半二重（ＨＤ）周波数分割多重システムにおいてＨＡＲＱバンドリングを便利に実現することができる。
2019530281.tif 000002
【特許請求の範囲】
【請求項１】
ハイブリッド自動再送要求（ＨＡＲＱ）フィードバック情報を送信する方法であって、
ＨＡＲＱバンドリングを行うデータの受信ウィンドウを特定することと、
前記受信ウィンドウ内でデータを検出することと、
前記受信ウィンドウ内で検出したデータに対するＨＡＲＱフィードバック情報をバンドリングして送信することと、
を含む、方法。
【請求項２】
ＨＡＲＱバンドリングを行うデータの受信ウィンドウを特定することは、
前記受信ウィンドウの長さ及び開始位置を特定することを含む、請求項１に記載の方法。
【請求項３】
前記受信ウィンドウの長さを特定することは、
前記長さを指示する情報を含む上位レイヤシグナリングを受信することを含む、請求項２に記載の方法。
【請求項４】
前記受信ウィンドウの長さは、予め定義した値である、請求項２に記載の方法。
【請求項５】
前記受信ウィンドウの長さを特定することは、
物理下りリンク共有チャネルの繰り返し数及び物理下りリンク制御チャネルの繰り返し数に基づいて、前記受信ウィンドウの長さを特定することを含む、請求項２に記載の方法。
【請求項６】
前記受信ウィンドウの開始位置を特定することは、
フレームの番号及び該フレームに含まれるサブフレームの番号並びに前記受信ウィンドウの長さに基づいて、前記受信ウィンドウの開始位置を特定することを含む、請求項２ないし５のいずれか一項に記載の方法。
【請求項７】
前記受信ウィンドウの開始位置を特定することは、
フレームに含まれるそれぞれのサブフレームのうち物理下りリンク共有チャネルを持つサブフレームを、前記受信ウィンドウの開始位置として特定することを含み、前記物理下りリンク共有チャネルの下りリンクアサインメント指示子が所定値を有する、請求項２ないし５のいずれか一項に記載の方法。
【請求項８】
前記受信ウィンドウ内で検出したデータに対するＨＡＲＱフィードバック情報をバンドリングして送信することは、
前記受信ウィンドウ終了後の所定の時刻で、前記受信ウィンドウ内で検出したデータに対するＨＡＲＱフィードバック情報をバンドリングして送信することを含む、請求項１ないし７のいずれか一項に記載の方法。
【請求項９】
前記受信ウィンドウ内で検出したデータに対するＨＡＲＱフィードバック情報をバンドリングして送信することは、
上りリンク制御チャネル又は上りリンク共有チャネルにおいて前記ＨＡＲＱフィードバック情報をバンドリングして送信することを含む、請求項１ないし８のいずれか一項に記載の方法。
【請求項１０】
ＨＡＲＱバンドリングを行うデータの受信ウィンドウを特定するように配置される特定部と、
前記受信ウィンドウ内でデータを検出するように配置される検出部と、
前記受信ウィンドウ内で検出したデータに対するＨＡＲＱフィードバック情報をバンドリングして送信するように配置されるＨＡＲＱフィードバック部と、を備える、ユーザー装置。
【請求項１１】
前記特定部は、前記受信ウィンドウの長さ及び開始位置を特定することにより、前記受信ウィンドウを特定するように配置される、請求項１０に記載のユーザー装置。
【請求項１２】
前記特定部は、前記長さを指示する情報を含む上位レイヤシグナリングを受信するように配置される、請求項１１に記載のユーザー装置。
【請求項１３】
前記受信ウィンドウの長さは、予め定義した値である、請求項１１に記載のユーザー装置。
【請求項１４】
前記特定部は、物理下りリンク共有チャネルの繰り返し数及び物理下りリンク制御チャネルの繰り返し数に基づいて、前記受信ウィンドウの長さを特定するように配置される、請求項１１に記載のユーザー装置。
【請求項１５】
前記特定部は、フレームの番号及び該フレームに含まれるサブフレームの番号並びに前記受信ウィンドウの長さに基づいて、前記受信ウィンドウの開始位置を特定するように配置される、請求項１１ないし１４のいずれか一項に記載のユーザー装置。
【請求項１６】
前記特定部は、フレームに含まれるそれぞれのサブフレームのうち物理下りリンク共有チャネルを持つサブフレームを、前記受信ウィンドウの開始位置として特定するように配置され、前記物理下りリンク共有チャネルの下りリンクアサインメント指示子が所定値を有する、請求項１１ないし１４のいずれか一項に記載のユーザー装置。
【請求項１７】
前記ＨＡＲＱフィードバック部は、前記受信ウィンドウ終了後の所定の時刻で、前記受信ウィンドウ内で検出したデータに対するＨＡＲＱフィードバック情報をバンドリングして送信するように配置される、請求項１０ないし１６のいずれか一項に記載のユーザー装置。
【請求項１８】
前記ＨＡＲＱフィードバック部は、上りリンク制御チャネル又は上りリンク共有チャネルにおいて前記ＨＡＲＱフィードバック情報をバンドリングして送信する、請求項１０ないし１７のいずれか一項に記載のユーザー装置。
【請求項１９】
ハイブリッド自動再送要求（ＨＡＲＱ）フィードバック情報を受信する方法であって、
ユーザー装置によるＨＡＲＱバンドリングを行うデータの受信ウィンドウを特定することと、
ユーザー装置によってバンドリングして送信された、該ユーザー装置が前記受信ウィンドウ内で検出したデータに対するＨＡＲＱフィードバック情報を受信することと、を含む、方法。
【請求項２０】
ユーザー装置によるＨＡＲＱバンドリングを行うデータの受信ウィンドウを特定することは、
前記受信ウィンドウの長さ及び開始位置を特定することを含む、請求項１９に記載の方法。
【請求項２１】
前記受信ウィンドウの長さを特定することは、
基地局によって前記長さを直接設定することを含む、請求項２０に記載の方法。
【請求項２２】
前記受信ウィンドウの長さは、予め定義した値である、請求項２０に記載の方法。
【請求項２３】
前記受信ウィンドウの長さを特定することは、
物理下りリンク共有チャネルの繰り返し数及び物理下りリンク制御チャネルの繰り返し数に基づいて、前記受信ウィンドウの長さを特定することを含む、請求項２０に記載の方法。
【請求項２４】
前記受信ウィンドウの開始位置を特定することは、
フレームの番号及び該フレームに含まれるサブフレームの番号並びに前記受信ウィンドウの長さに基づいて、前記受信ウィンドウの開始位置を特定することを含む、請求項２０ないし２３のいずれか一項に記載の方法。
【請求項２５】
前記受信ウィンドウの開始位置を特定することは、
フレームに含まれるそれぞれのサブフレームのうち物理下りリンク共有チャネルを持つサブフレームを、前記受信ウィンドウの開始位置として特定することを含み、前記物理下りリンク共有チャネルの下りリンクアサインメント指示子が所定値を有する、請求項２０ないし２３のいずれか一項に記載の方法。
【請求項２６】
ユーザー装置によってバンドリングして送信された、該ユーザー装置が前記受信ウィンドウ内で検出したデータに対するＨＡＲＱフィードバック情報を受信することは、
前記受信ウィンドウ終了後の所定の時刻で、ユーザー装置によってバンドリングして送信された、該ユーザー装置が前記受信ウィンドウ内で検出したデータに対するＨＡＲＱフィードバック情報を受信することを含む、請求項１９ないし２５のいずれか一項に記載の方法。
【請求項２７】
ユーザー装置によってバンドリングして送信された、該ユーザー装置が前記受信ウィンドウ内で検出したデータに対するＨＡＲＱフィードバック情報を受信することは、
上りリンク制御チャネル又は上りリンク共有チャネルにおいて前記ＨＡＲＱフィードバック情報を受信することを含む、請求項１９ないし２６のいずれか一項に記載の方法。
【請求項２８】
ユーザー装置によるＨＡＲＱバンドリングを行うデータの受信ウィンドウを特定するように配置される特定部と、
ユーザー装置によってバンドリングして送信された、該ユーザー装置が前記受信ウィンドウ内で検出したデータに対するＨＡＲＱフィードバック情報を受信するように配置される受信部と、を備える、基地局。
【請求項２９】
前記特定部は、前記受信ウィンドウの長さ及び開始位置を特定することにより、ユーザー装置によるＨＡＲＱバンドリングを行うデータの受信ウィンドウを特定するように配置される、請求項２８に記載の基地局。
【請求項３０】
前記特定部は、受信ウィンドウの長さを直接設定することにより、前記長さを特定するように配置される、請求項２９に記載の基地局。
【請求項３１】
前記受信ウィンドウの長さは、予め定義した値である、請求項２９に記載の基地局。
【請求項３２】
前記特定部は、物理下りリンク共有チャネルの繰り返し数及び物理下りリンク制御チャネルの繰り返し数に基づいて、前記受信ウィンドウの長さを特定するように配置される、請求項２９に記載の基地局。
【請求項３３】
前記特定部は、フレームの番号及び該フレームに含まれるサブフレームの番号並びに前記受信ウィンドウの長さに基づいて、前記受信ウィンドウの開始位置を特定するように配置される、請求項２９ないし３２のいずれか一項に記載の基地局。
【請求項３４】
前記特定部は、フレームに含まれるそれぞれのサブフレームのうち物理下りリンク共有チャネルを持つサブフレームを、前記受信ウィンドウの開始位置として特定するように配置され、前記物理下りリンク共有チャネルの下りリンクアサインメント指示子が所定値を有する、請求項２９ないし３２のいずれか一項に記載の基地局。
【請求項３５】
前記受信部は、ユーザー装置によって前記受信ウィンドウ終了後の所定の時刻でバンドリングして送信された、該ユーザー装置が前記受信ウィンドウ内で検出したデータに対するＨＡＲＱフィードバック情報を受信するように配置される、請求項２８ないし３４のいずれか一項に記載の基地局。
【請求項３６】
前記受信部は、上りリンク制御チャネル又は上りリンク共有チャネルにおいて前記ＨＡＲＱフィードバック情報を受信するように配置される、請求項２８ないし３５のいずれか一項に記載の基地局。
【発明の詳細な説明】
【技術分野】
【０００１】
本開示は、ハイブリッド自動再送要求（ＨＡＲＱ）に関し、具体的には、ＨＡＲＱフィードバック情報を送信する方法及びユーザー装置に関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）規格Ｒｅｌ．１３では、半二重（ＨＤ）マシン型通信（ＭＴＣ）システムに対して、一対一のＨＡＲＱフィードバックを適用する。即ち、下りリンクのそれぞれのサブフレーム内で受信したデータ、例えば、物理下りリンクデータチャネル（ＰＤＳＣＨ）について、ユーザー装置（ＵＥ）は、該サブフレーム後の所定の時刻でのサブフレーム内で該データに対するＨＡＲＱフィードバック情報、例えば、該データを正常に受信したことを示す肯定確認情報（ＡＣＫ）又は該データが正常に受信されていないことを示す否定確認情報（ＮＡＣＫ）を送信する。
【発明の概要】
【発明が解決しようとする課題】
【０００３】
しかしながら、該半二重システムにおいて、上りリンクのＨＡＲＱフィードバック情報を送信するためのサブフレームは、下りリンク伝送用に割当てられる可能性があり、よって上りリンクフィードバック情報を送信することと下りリンクデータを送信することとの衝突の要因になる。この問題を解決するために、Ｒｅｌ．１４では、ＵＥが受信した複数のデータに対するＨＡＲＱフィードバック情報をバンドリングして基地局に送信するＨＡＲＱバンドリングが提案されている。例えば、ＵＥは、受信した複数のデータに対するフィードバック情報の論理積を計算し、さらに、計算結果をフィードバック情報として基地局に送信する。
【０００４】
Ｒｅｌ．１４に準拠するＨＤ  ＴＤＤ  ＭＴＣシステムでは、それぞれの下りリンク−上りリンク設定について、下りリンクにおいてＨＡＲＱバンドリングを行うべきサブフレーム、及びＨＡＲＱバンドリングを適用する場合、フィードバック情報の送信に用いられる上りリンクサブフレームを規定した。しかしながら、Ｒｅｌ．１４に準拠するＨＤ  ＦＤＤ  ＭＴＣシステムでは、ＨＡＲＱバンドリングをどのように行うかについては検討されていない。
【０００５】
そこで、Ｒｅｌ．１４に準拠するＨＤ  ＴＤＤ  ＭＴＣシステムにおいてＨＡＲＱバンドリングを行う方法が求められる。
【課題を解決するための手段】
【０００６】
本開示の一実施例によれば、ハイブリッド自動再送要求（ＨＡＲＱ）フィードバック情報を送信する方法であって、ＨＡＲＱバンドリングを行うデータの受信ウィンドウを特定することと、前記受信ウィンドウ内でデータを検出することと、前記受信ウィンドウ内で検出したデータに対するＨＡＲＱフィードバック情報をバンドリングして送信することと、を含む方法を提供する。
【０００７】
上記方法では、ＨＡＲＱバンドリングを行うデータの受信ウィンドウを特定することは、前記受信ウィンドウの長さ及び開始位置を特定することを含んでも良い。
【０００８】
上記方法では、前記受信ウィンドウの長さを特定することは、前記長さを指示する情報を含む上位レイヤシグナリングを受信することを含んでも良い。
【０００９】
上記方法では、前記受信ウィンドウの長さは、予め定義した値であってもよい。
【００１０】
上記方法では、前記受信ウィンドウの長さを特定することは、物理下りリンク共有チャネルの繰り返し数及び物理下りリンク制御チャネルの繰り返し数に基づいて、前記受信ウィンドウの長さを特定することを含んでも良い。
【００１１】
上記方法では、前記受信ウィンドウの開始位置を特定することは、フレームの番号及び該フレームに含まれるサブフレームの番号並びに前記受信ウィンドウの長さに基づいて、前記受信ウィンドウの開始位置を特定することを含んでも良い。
【００１２】
上記方法では、前記受信ウィンドウの開始位置を特定することは、フレームに含まれるそれぞれのサブフレームのうち物理下りリンク共有チャネルを持つサブフレームを、前記受信ウィンドウの開始位置として特定することを含み、前記物理下りリンク共有チャネルの下りリンクアサインメント指示子が所定値を有してもよい。
【００１３】
上記方法では、前記受信ウィンドウ内で検出したデータに対するＨＡＲＱフィードバック情報をバンドリングして送信することは、前記受信ウィンドウ終了後の所定の時刻で、前記受信ウィンドウ内で検出したデータに対するＨＡＲＱフィードバック情報をバンドリングして送信することを含んでも良い。
【００１４】
上記送信方法では、上りリンク制御チャネル又は上りリンク共有チャネルにおいて前記ＨＡＲＱフィードバック情報をバンドリングして送信してもよい。
【００１５】
本開示の他の一実施例によれば、ＨＡＲＱバンドリングを行うデータの受信ウィンドウを特定するように配置される特定部と、前記受信ウィンドウ内でデータを検出するように配置される検出部と、前記受信ウィンドウ内で検出したデータに対するＨＡＲＱフィードバック情報をバンドリングして送信するように配置されるＨＡＲＱフィードバック部と、を備えるユーザー装置を提供する。
【００１６】
上記ユーザー装置では、前記特定部は、前記受信ウィンドウの長さ及び開始位置を特定することにより、前記受信ウィンドウを特定するように配置されてもよい。
【００１７】
上記ユーザー装置では、前記特定部は、前記長さを指示する情報を含む上位レイヤシグナリングを受信するように配置されてもよい。
【００１８】
上記ユーザー装置では、前記受信ウィンドウの長さは、予め定義した値であってもよい。
【００１９】
上記ユーザー装置では、前記特定部は、物理下りリンク共有チャネルの繰り返し数及び物理下りリンク制御チャネルの繰り返し数に基づいて、前記受信ウィンドウの長さを特定するように配置されてもよい。
【００２０】
上記ユーザー装置では、前記特定部は、フレームの番号及び該フレームに含まれるサブフレームの番号並びに前記受信ウィンドウの長さに基づいて、前記受信ウィンドウの開始位置を特定するように配置されてもよい。
【００２１】
上記ユーザー装置では、前記特定部は、フレームに含まれるそれぞれのサブフレームのうち物理下りリンク共有チャネルを持つサブフレームを、前記受信ウィンドウの開始位置として特定するように配置され、前記物理下りリンク共有チャネルの下りリンクアサインメント指示子が所定値を有してもよい。
【００２２】
上記ユーザー装置では、前記ＨＡＲＱフィードバック部は、前記受信ウィンドウ終了後の所定の時刻で、前記受信ウィンドウ内で検出したデータに対するＨＡＲＱフィードバック情報をバンドリングして送信するように配置されてもよい。
【００２３】
上記ユーザー装置では、前記ＨＡＲＱフィードバック部は、上りリンク制御チャネル又は上りリンク共有チャネルにおいて前記ＨＡＲＱフィードバック情報をバンドリングして送信するように配置されてもよい。
【００２４】
本開示の他の一実施例によれば、ハイブリッド自動再送要求（ＨＡＲＱ）フィードバック情報を受信する方法であって、ユーザー装置によるＨＡＲＱバンドリングを行うデータの受信ウィンドウを特定することと、ユーザー装置によってバンドリングして送信された、該ユーザー装置が前記受信ウィンドウ内で検出したデータに対するＨＡＲＱフィードバック情報を受信することと、を含む方法を提供する。
【００２５】
上記方法では、ユーザー装置によるＨＡＲＱバンドリングを行うデータの受信ウィンドウを特定することは、前記受信ウィンドウの長さ及び開始位置を特定することを含んでもよい。
【００２６】
上記方法では、前記受信ウィンドウの長さを特定することは、基地局によって前記長さを直接設定することを含んでもよい。
【００２７】
上記方法では、前記受信ウィンドウの長さは、予め定義した値であってもよい。
【００２８】
上記方法では、前記受信ウィンドウの長さを特定することは、物理下りリンク共有チャネルの繰り返し数及び物理下りリンク制御チャネルの繰り返し数に基づき、前記受信ウィンドウの長さを特定することを含んでもよい。
【００２９】
上記方法では、前記受信ウィンドウの開始位置を特定することは、フレームの番号及び該フレームに含まれるサブフレームの番号並びに前記受信ウィンドウの長さに基づいて、前記受信ウィンドウの開始位置を特定することを含んでもよい。
【００３０】
上記方法では、前記受信ウィンドウの開始位置を特定することは、フレームに含まれるそれぞれのサブフレームのうち物理下りリンク共有チャネルを持つサブフレームを、前記受信ウィンドウの開始位置として特定することを含み、前記物理下りリンク共有チャネルの下りリンクアサインメント指示子が所定値を有してもよい。
【００３１】
上記方法では、ユーザー装置によってバンドリングして送信された、該ユーザー装置が前記受信ウィンドウ内で検出したデータに対するＨＡＲＱフィードバック情報を受信することは、前記受信ウィンドウ終了後の所定の時刻で、ユーザー装置によってバンドリングして送信された、該ユーザー装置が前記受信ウィンドウ内で検出したデータに対するＨＡＲＱフィードバック情報を受信することを含んでもよい。
【００３２】
上記方法では、ユーザー装置によってバンドリングして送信された、該ユーザー装置が前記受信ウィンドウ内で検出したデータに対するＨＡＲＱフィードバック情報を受信することは、上りリンク制御チャネル又は上りリンク共有チャネルにおいて前記ＨＡＲＱフィードバック情報を受信することを含んでもよい。
【００３３】
本開示の他の一実施例によれば、ユーザー装置によるＨＡＲＱバンドリングを行うデータの受信ウィンドウを特定するように配置される特定部と、ユーザー装置によってバンドリングして送信された、該ユーザー装置が前記受信ウィンドウ内で検出したデータに対するＨＡＲＱフィードバック情報を受信するように配置される受信部と、を備える基地局を提供する。
【００３４】
上記基地局では、前記特定部は、前記受信ウィンドウの長さ及び開始位置を特定することにより、ユーザー装置によるＨＡＲＱバンドリングを行うデータの受信ウィンドウを特定するように配置されてもよい。
【００３５】
上記基地局では、前記特定部は、受信ウィンドウの長さを直接設定することにより、前記長さを特定するように配置されてもよい。
【００３６】
上記基地局では、前記受信ウィンドウの長さは予め定義した値であってもよい。
【００３７】
上記基地局では、前記特定部は、物理下りリンク共有チャネルの繰り返し数及び物理下りリンク制御チャネルの繰り返し数に基づいて、前記受信ウィンドウの長さを特定するように配置されてもよい。
【００３８】
上記基地局では、前記特定部は、フレームの番号及び該フレームに含まれるサブフレームの番号並びに前記受信ウィンドウの長さに基づいて、前記受信ウィンドウの開始位置を特定するように配置されてもよい。
【００３９】
上記基地局では、前記特定部は、フレームに含まれるそれぞれのサブフレームのうち物理下りリンク共有チャネルを持つサブフレームを、前記受信ウィンドウの開始位置として特定するように配置され、前記物理下りリンク共有チャネルの下りリンクアサインメント指示子が所定値を有してもよい。
【００４０】
上記基地局では、前記受信部は、ユーザー装置によって前記受信ウィンドウ終了後の所定の時刻でバンドリングして送信された、該ユーザー装置が前記受信ウィンドウ内で検出したデータに対するＨＡＲＱフィードバック情報を受信するように配置されてもよい。
【００４１】
上記基地局では、前記受信部は、上りリンク制御チャネル又は上りリンク共有チャネルにおいて前記ＨＡＲＱフィードバック情報を受信するように配置されてもよい。
【図面の簡単な説明】
【００４２】
図面を参照しながら本開示の実施例を詳細に説明することで、本開示の上記及び他の目的、特徴、及び利点がより明らかになる。図面は、本開示の実施例に対して更なる理解を提供するためのものであり、明細書の一部を構成する。図面は、本開示の実施例とともに本開示の説明に用いられるが、本開示を限定するものではない。図面では、同じ参照記号が常に同一の部品又はステップを指す。
【図１】本開示実施例による半二重（ＨＤ）周波数分割多重（ＦＤＤ）を適用できるマシン型通信（ＭＴＣ）システムの模式図である。
【図２】本開示実施例によるＨＡＲＱフィードバック情報を送信する方法を示すフローチャートである。
【図３Ａ】受信ウィンドウ（ＨＡＲＱバンドリングウィンドウ）の長さを特定する第１例示を示す。
【図３Ｂ】受信ウィンドウ（ＨＡＲＱバンドリングウィンドウ）の長さを特定する第２例示を示す。
【図４】受信ウィンドウ（ＨＡＲＱバンドリングウィンドウ）の開始位置を特定する例示を示す。
【図５】ＨＡＲＱフィードバック情報をバンドリングして送信する方式を模式的に示す。
【図６】本開示実施例によるＨＡＲＱフィードバック情報を受信する方法を示すフローチャートである。
【図７】本開示の実施例によるユーザー装置のブロック図を示す。
【図８】本開示の実施例による基地局のブロック図を示す。
【発明を実施するための形態】
【００４３】
本開示の目的、技術案、利点をより明確にするために、以下、図面を参照しながら本開示による例示的な実施例を詳細に説明する。説明する実施例は、本開示の一部の実施例に過ぎず、本開示の全ての実施例ではないことは、明らかである。本開示は、ここで説明する例示的な実施例に制限されないことは、理解されるべきである。本開示において説明する実施例に基づき、当業者が創造的な活動をしない前提で得られる他の実施例は全て本開示の保護範囲内に入る。
【００４４】
図１は、本開示実施例を適用できるＨＤ  ＦＤＤ  ＭＴＣシステムの模式図を示す。図１に示すように、該システムは、基地局（ｅＮＢ）１０とユーザー装置（ＵＥ）２０を備える。ここで、基地局１０は、ユーザー装置２０へ制御信号及びデータを送信し、ユーザー装置２０は、前記制御信号及びデータを受信して検出し、さらに、基地局へ前記データに対するフィードバック情報（ＨＡＲＱフィードバック情報）を送信する。前記フィードバック情報は、前記データを正常に受信したことを示す肯定確認情報（ＡＣＫ）又は前記データが正常に受信されていないことを示す否定確認情報（ＮＡＣＫ）であってもよい。前記制御信号は、例えば、物理下りリンク制御チャネル（ＰＤＣＣＨ）又はその他の制御信号であってもよい。前記データは、例えば、物理下りリンク共有チャネル（ＰＤＳＣＨ）又はその他のデータであってもよい。以下、ＰＤＣＣＨ及びＰＤＳＣＨを制御信号及びデータの例示として説明する場合がある。例えば、基地局は、第１サブフレーム内でＰＤＣＣＨを送信し、よってＰＤＳＣＨを送信するためにスケジューリングされたサブフレーム及びその他の制御信号をユーザー装置へ通知し、そして前記スケジューリングされたサブフレーム内でＰＤＳＣＨを送信することができる。前記ＰＤＣＣＨを送信するサブフレームと前記ＰＤＳＣＨを送信するサブフレームとの間、一つ又は複数のブランクサブフレーム（ｂｌａｎｋ  ｓｕｂｆｒａｍｅ）が存在することができる。
【００４５】
本開示の実施例では、ＨＡＲＱバンドリングを適用する。即ち、受信したデータに対するフィードバック情報を送信する時に、受信したデータごとにフィードバック情報を一回送信することではなく、ＨＡＲＱバンドリングウィンドウ内で受信した複数のデータに対するフィードバック情報をバンドリングして送信する。具体的には、ＨＡＲＱバンドリングウィンドウ内で受信した複数のデータに対するフィードバック情報に対して論理計算を行い、さらに、計算結果をフィードバック情報として基地局に送信することができる。例えば、１でＡＣＫを表し、０でＮＡＣＫを表すと、受信した四つのデータに対するフィードバック情報が順次１、１、０と１である場合、四つのデータに対するフィードバック情報に対して論理積計算を行い、計算結果として０を取得し、そして０をフィードバック情報として基地局に送信することができる。これにより、四つのデータに対するフィードバック情報は、バンドリングして基地局に送信される。
【００４６】
以下、図面を参照しながら本開示の実施例によるＨＡＲＱフィードバック情報を送信及び受信する方法、及び該方法を使用するユーザー装置（ＵＥ）並びに対応する基地局（ｅＮＢ）を説明する。
【００４７】
まず、図２を参照しながら本開示実施例によるＨＡＲＱフィードバック情報を送信する方法を説明する。該方法は、ＵＥによって実行されることができる。
【００４８】
図２に示すように、ステップＳ２０１では、ＨＡＲＱバンドリングを行うデータの受信ウィンドウ、即ち上記のＨＡＲＱバンドリングウィンドウを特定する。
【００４９】
具体的には、前記受信ウィンドウの長さ及び開始位置を特定することにより、前記受信ウィンドウを特定することができる。ここで、受信ウィンドウに含まれるサブフレームの数を使用して前記受信ウィンドウの長さを表すことができる。また、前記受信ウィンドウに含まれる１番目のサブフレームの位置を使用して前記受信ウィンドウの位置を表すことができる。
【００５０】
様々な方式を採用して前記受信ウィンドウの長さを特定することができる。ある実施形態では、前記長さを指示する情報を含む上位レイヤシグナリングを受信することにより、ＨＡＲＱバンドリングウィンドウの長さを特定することができる。前記上位レイヤシグナリングは、例えば、システム情報ブロック（ＳＩＢ）である。例えば、基地局は、セルにおいてＳＩＢを報知し、よって前記長さをＵＥに通知することができる。この場合、前記受信ウィンドウの長さは、該セルに専用される。
【００５１】
他の実施形態では、前記受信ウィンドウの長さは、予め定義した値であってもよい。例えば、前記受信ウィンドウの長さを、予め定義した値として予め基地局及びＵＥに設定し、よって基地局及びＵＥが該予め定義した値を読み取ることで前記受信ウィンドウの長さを特定できるようにしてもよい。
【００５２】
他の実施形態では、前記受信ウィンドウの長さを暗黙的に特定することができる。例えば、基地局によって送信されるデータ（例えば、ＰＤＳＣＨ）の繰り返し数及び制御情報（例えば、ＰＤＣＣＨ）の繰り返し数に基づいて、前記受信ウィンドウの長さを特定することができる。具体的には、ＵＥと基地局間のチャネル品質が良くない場合、ＵＥによってＰＤＣＣＨ及びＰＤＳＣＨを受信できることを確保するために、基地局は、ＰＤＣＣＨを繰り返して複数回送信し、及び／又はＰＤＳＣＨを繰り返して複数回送信することができる。この場合、特定された長さは、該ＵＥに専用されることになる。この実施形態では、送信されたＰＤＣＣＨとＰＤＳＣＨとの間には、一つ又は複数のブランクサブフレームが存在することができ、よってそれぞれのＰＤＣＣＨ、該ＰＤＣＣＨの後で送信されるＰＤＳＣＨ、及び該ＰＤＣＣＨとＰＤＳＣＨとの間の一つ又は複数のブランクサブフレームは、一つのグループになる。前記受信ウィンドウは、このようなグループを一つ又は複数収容することができる。よって、前記受信ウィンドウの長さＬは、以下の式（１）で特定されることができる。
Ｌ＝Ｍ＊（ＲＰＤＣＣＨ＋ＲＰＤＳＣＨ＋ｎ）          （１）
但し、ＲＰＤＣＣＨはＰＤＣＣＨの繰り返し数であり、ＲＰＤＳＣＨはＰＤＳＣＨの繰り返し数であり、Ｍは受信ウィンドウに収容される上記グループの数であり、ｎはＰＤＣＣＨとＰＤＳＣＨとの間のブランクサブフレームの数であり、ＲＰＤＣＣＨ≧１、ＲＰＤＳＣＨ≧１、ｎ≧１である。また、Ｍ≧１であり、例えば、４であってもよい。ＲＰＤＣＣＨ及びＲＰＤＳＣＨは、基地局によって設定してＵＥに通知されてもよい。この場合、基地局は、無線リソース制御（ＲＲＣ）シグナリングのような上位レイヤシグナリングによって、設定されたＲＰＤＣＣＨ及びＲＰＤＳＣＨをＵＥに通知してもよい。Ｍ及びｎは、基地局によって設定して、例えば、ＲＲＣシグナリングのようなシグナリングによってＵＥに通知されてもよいし、或いは、予め定義した値であり、さらに予め基地局及びＵＥに設定されてもよい。図３Ａは、該実施形態における受信ウィンドウの長さを特定する第１例示を示し、ここで、Ｍは４であり、ｎは１であり、ＲＰＤＣＣＨ及びＲＰＤＳＣＨはいずれも１である。該例示では、Ｌは１２である、即ち前記受信ウィンドウの長さは１２個のサブフレームである、と特定することができる。図３Ｂは、該実施形態における受信ウィンドウの長さを特定する第２例示を示し、ここで、Ｍは４であり、ｎは１であり、ＲＰＤＣＣＨ及びＲＰＤＳＣＨはいずれも２である。該例示では、Ｌは２０である、即ち前記受信ウィンドウの長さは２０個のサブフレームである、と特定することができる。
【００５３】
また、様々な方式を採用して前記受信ウィンドウの開始位置を特定することができる。ある実施形態では、フレームの番号及び該フレームに含まれるサブフレームの番号並びに前記受信ウィンドウの長さに基づいて、前記受信ウィンドウの開始位置を特定することができる。例えば、フレームの番号（フレーム番号）をｎｆで表し、該フレームに含まれるサブフレームの番号（サブフレーム番号）をｎｓｆで表すと、下記式（２）を満たすフレームにおけるサブフレームを前記受信ウィンドウの開始位置として特定することができる。
（ｎｓｆ＋１０＊ｎｆ）ｍｏｄ  （Ｌ）＝ｏｆｆｓｅｔ          （２）
但し、Ｌは前記受信ウィンドウの長さであり、ｏｆｆｓｅｔは必要に応じて設定したオフセットであり、例えば、０、１又はその他の値であり、予めＵＥ及び基地局に設定してもよいし、或いは、ＵＥがシグナリングを受信することでｏｆｆｓｅｔを取得できるように、基地局によって設定して該シグナリングによってＵＥに通知されてもよい。例えば、ｏｆｆｓｅｔを０に設定することができる。この場合、（ｎｓｆ＋１０＊ｎｆ）ｍｏｄ  （Ｌ）＝０を満たすフレームにおけるサブフレームを前記受信ウィンドウの開始位置として特定することができる。図４は、前記受信ウィンドウの開始位置を特定する第１例示を示す。図４では、Ｌ＝３と想定すると、ｎｆ＝０である場合、ｎｓｆ＝３、６又は９のサブフレームを、前記受信ウィンドウの開始位置として特定してもよい。また、ｎｆ＝１である場合、ｎｓｆ＝２、５又は８のサブフレームを、前記受信ウィンドウの開始位置として特定してもよい。
【００５４】
他の実施形態では、フレームに含まれるそれぞれのサブフレームのうちＰＤＳＣＨを持つサブフレームを、前記受信ウィンドウの開始位置として特定することができ、ここで、前記ＰＤＳＣＨの下りリンクアサインメント指示子（ＤＡＩ）が所定値を有する。当該分野において公知であるように、ＰＤＳＣＨのＤＡＩは、該ＰＤＳＣＨの位置するサブフレームが該サブフレームの属するフレームにおける何番目の下りリンクサブフレームであるかを指示する。前記所定値は、実際の必要に応じて柔軟に設定してもよいし、例えば、１、２などであってもよい。それに、予めＵＥ及び基地局に設定してもよいし、或いは、基地局によって設定してＵＥに通知してもよい。図４に示す例では、所定値は１であると想定し、即ち、フレームのうちＤＡＩ＝１のＰＤＳＣＨを持つサブフレームを前記受信ウィンドウの開始位置として特定する。この場合、それぞれのフレームにおけるサブフレーム２が前記受信ウィンドウの開始位置として特定されてもよい。
【００５５】
図２に戻り、ステップＳ２０２では、前記受信ウィンドウ内でデータを検出する。具体的には、受信ウィンドウの開始位置及び長さを特定してから、前記受信ウィンドウを位置決めして、さらに、前記受信ウィンドウ内で基地局によって送信されるＰＤＳＣＨを検出する、即ち受信ウィンドウ内に位置されるサブフレームのうちＰＤＳＣＨを持つサブフレームを検出することができる。当該分野における公知の方法を使用してＰＤＳＣＨを持つサブフレームを検出することができるため、ここではその説明を省略する。
【００５６】
そして、ステップＳ２０３では、前記受信ウィンドウ内で検出したデータ（ＰＤＳＣＨ）に対するＨＡＲＱフィードバック情報をバンドリングして送信する。
【００５７】
具体的には、受信したそれぞれのＰＤＳＣＨに対して、復号化を行い、復号化結果に従って該ＰＤＳＣＨに対するフィードバック情報、即ちＨＡＲＱフィードバック情報を生成することができる。例えば、ＰＤＳＣＨに対する復号化に成功した場合、ＡＣＫを生成し、ＰＤＳＣＨに対する復号化に失敗した場合、ＮＡＣＫを生成することができる。そして、上記した方式に従って、前記受信ウィンドウ内で検出した複数のデータに対するフィードバック情報に対して論理計算を行い、計算結果をフィードバック情報として基地局に送信することができる。これにより、前記受信ウィンドウ内で検出した複数のデータに対するフィードバック情報をバンドリングして基地局に送信することができる。ある実施形態では、前記受信ウィンドウ終了後の所定の時刻で、前記受信ウィンドウ内で検出したデータに対するＨＡＲＱフィードバック情報をバンドリングして送信することができる。前記所定の時刻は、実際の必要に応じて柔軟に設定することができ、さらに、予めＵＥ及び基地局に設定することができ、或いは基地局によって設定してＵＥに通知することができる。例えば、前記受信ウィンドウ終了後の４ｍｓ（第４サブフレーム）で前記フィードバック情報を送信するように、前記所定の時刻を前記受信ウィンドウ終了後の４ｍｓに設定することができる。
【００５８】
前記受信ウィンドウ内で検出したデータに対するＨＡＲＱフィードバック情報をバンドリングして送信する際に、図５に示すように、上りリンク制御チャネル（ＰＵＣＣＨ）又は上りリンク共有チャネル（ＰＵＳＣＨ）において前記ＨＡＲＱフィードバック情報をバンドリングして送信することができる。具体的には、前記受信ウィンドウ終了後の所定の時刻でのサブフレームは、ＰＵＳＣＨを送信するようにスケジューリングされる可能性もあるし、ＰＵＣＣＨを送信するようにスケジューリングされる可能性もある。前記サブフレームがＰＵＳＣＨを送信するようにスケジューリングされる場合、該ＰＵＳＣＨを利用して前記ＨＡＲＱフィードバック情報を載せることができる。一方、前記サブフレームがＰＵＣＣＨを送信するようにスケジューリングされる場合、該ＰＵＣＣＨを利用して前記ＨＡＲＱフィードバック情報を載せることができる。
【００５９】
以下、図６を参照して本開示実施例によるＨＡＲＱフィードバック情報を受信する方法を説明する。該方法は、基地局によって実行することができる。
【００６０】
図６に示すように、ステップＳ６０１では、ＵＥによるＨＡＲＱバンドリングを行うデータの受信ウィンドウを特定する。
【００６１】
具体的には、前記受信ウィンドウの長さ及び開始位置を特定することにより、前記受信ウィンドウを特定することができる。ここで、受信ウィンドウに含まれるサブフレームの数を使用して前記受信ウィンドウの長さを表すことができる。また、前記受信ウィンドウに含まれる１番目のサブフレームの位置を使用して前記受信ウィンドウの位置を表すことができる。
【００６２】
様々な方式を採用して前記受信ウィンドウの長さを特定することができる。
【００６３】
ある実施形態では、基地局は、前記受信ウィンドウ（ＨＡＲＱバンドリングウィンドウ）の長さを直接設定することができる。基地局は、設定された長さを指示する情報を、シグナリングによってＵＥに送信することができる。
【００６４】
他の実施形態では、上述したように、前記受信ウィンドウの長さは、予め定義した値であり、基地局が該予め定義した値を読み取ることにより、前記受信ウィンドウの長さを特定できるようにしてもよい。
【００６５】
他の実施形態では、前記受信ウィンドウの長さを暗黙的に特定することができる。例えば、ＵＥに送信されるデータ（例えば、ＰＤＳＣＨ）の繰り返し数及び制御情報（例えば、ＰＤＣＣＨ）の繰り返し数に基づいて、前記受信ウィンドウの長さを特定することができる。例えば、基地局は、上記で式（１）に対して説明した方式に従って、前記受信ウィンドウの長さを特定することができる。
【００６６】
他の実施形態では、ＵＥから前記長さを指示する情報を受信することにより、前記受信ウィンドウの長さを特定することができる。
【００６７】
また、様々な方式を採用して前記受信ウィンドウの開始位置を特定することができる。
【００６８】
ある実施形態では、フレームの番号及び該フレームに含まれるサブフレームの番号並びに前記受信ウィンドウの長さに基づいて、前記受信ウィンドウの開始位置を特定することができる。例えば、上記した方式に従って前記受信ウィンドウの開始位置を特定することができるため、ここではその説明を省略する。
【００６９】
他の実施形態では、フレームに含まれるそれぞれのサブフレームのうちＰＤＳＣＨを持つサブフレームを前記受信ウィンドウの開始位置として特定することができ、ここで、前記ＰＤＳＣＨの下りリンクアサインメント指示子（ＤＡＩ）が所定値を有する。前記所定値は、実際の必要に応じて柔軟に設定することができ、例えば、１、２などであってもよい。さらに、予めＵＥ及び基地局に設定してもよく、或いは基地局によって設定してＵＥに通知してもよい。
【００７０】
そして、ステップＳ６０２では、ＵＥによってバンドリングして送信された、該ＵＥが前記受信ウィンドウ内で検出したデータに対するＨＡＲＱフィードバック情報を受信する。
【００７１】
ある実施形態では、ＵＥによって前記受信ウィンドウ終了後の所定の時刻でバンドリングして送信された、該ユーザー装置が前記受信ウィンドウ内で検出したデータに対するＨＡＲＱフィードバック情報を受信することができる。前記所定の時刻は、実際の必要に応じて柔軟に設定でき、さらに、予めＵＥ及び基地局に設定するか、或いは基地局によって設定してＵＥに通知することができる。例えば、前記所定の時刻を前記受信ウィンドウ終了後の４ｍｓに設定することができる。
【００７２】
また、上述したように、ＵＥは、前記受信ウィンドウ内で検出したデータに対するＨＡＲＱフィードバック情報をバンドリングして送信する際に、ＰＵＣＣＨ又はＰＵＳＣＨにおいて前記ＨＡＲＱフィードバック情報をバンドリングして送信することができる。これに応じて、基地局側では、ＰＵＣＣＨ又はＰＵＳＣＨにおいて前記ＨＡＲＱフィードバック情報を受信することができる。
【００７３】
前記フィードバック情報を受信してから、基地局は、それに対して復号化を行うことでＰＤＳＣＨの送信が成功したかを確認することができる。例えば、複数のＰＤＳＣＨに対するフィードバック情報が論理積計算の実施を通じてバンドリングして送信される際に、基地局によって受信したバンドリングして送信されたフィードバック情報が０である場合、前記複数のＰＤＳＣＨにおける少なくとも一つが正常に受信されなかったことを示し、よって前記複数のＰＤＳＣＨの再送を要求することができる。
【００７４】
以下、図７を参照して本開示実施例によるＵＥを説明する。ここで、便宜上、上記で図２を参照して説明した方法と同じ内容については、その説明を省略する。
【００７５】
図７に示すように、本開示実施例によるＵＥ２０は、特定部２１、検出部２２及びＨＡＲＱフィードバック部２３を備える。留意すべきは、ここで、簡素化のために、ＵＥにおける本開示の実施例と密接に関係する部品だけを示し、ＵＥのその他の部品を省略するが、これは制限的なものではなく、必要に応じて、ＵＥ２０はその他の部品、例えば、様々なデータ処理部を備えてもよいことである。
【００７６】
特定部２１は、ＨＡＲＱバンドリングを行うデータの受信ウィンドウ、即ち上記したＨＡＲＱバンドリングウィンドウを特定する。具体的には、特定部２１は、前記受信ウィンドウの長さ及び開始位置を特定することにより、前記受信ウィンドウを特定することができる。
【００７７】
特定部２１は、様々な方式を採用して前記受信ウィンドウの長さを特定することができる。ある実施形態では、特定部２１は、（例えば、受信部（図示せず）を経由して）前記長さを指示する情報を含む上位レイヤシグナリングを受信することにより、ＨＡＲＱバンドリングウィンドウの長さを特定することができる。前記上位レイヤシグナリングは、例えば、システム情報ブロック（ＳＩＢ）である。他の実施形態では、前記受信ウィンドウの長さは、予め定義した値であり、それに、例えば、予め基地局及びＵＥに設定されてもよい。この場合、特定部２１は、該予め定義した値を読み取ることにより、前記受信ウィンドウの長さを特定することができる。他の実施形態では、特定部２１は、前記受信ウィンドウの長さを暗黙的に特定することができる。例えば、特定部２１は、基地局によって送信されるデータ（例えば、ＰＤＳＣＨ）の繰り返し数及び制御情報（例えば、ＰＤＣＣＨ）の繰り返し数に基づいて、前記受信ウィンドウの長さを特定することができる。例えば、特定部２１は、上記した方式に従って、上記式（１）によって、ＰＤＳＣＨ及びＰＤＣＣＨの繰り返し数に基づいて、前記受信ウィンドウの長さを特定することができる。
【００７８】
また、特定部２１は、様々な方式を採用して前記受信ウィンドウの開始位置を特定することができる。ある実施形態では、特定部２１は、フレームの番号及び該フレームに含まれるサブフレームの番号並びに前記受信ウィンドウの長さに基づいて、前記受信ウィンドウの開始位置を特定することができる。例えば、特定部２１は、上記した方式に従って、上記式（２）を使用して前記受信ウィンドウの開始位置を特定することができる。他の実施形態では、特定部２１は、フレームに含まれるそれぞれのサブフレームのうちＰＤＳＣＨを持つサブフレームを前記受信ウィンドウの開始位置として特定することができ、ここで、前記ＰＤＳＣＨの下りリンクアサインメント指示子（ＤＡＩ）が所定値を有する。
【００７９】
検出部２２は、特定部２１によって特定された受信ウィンドウ内でデータを検出することができる。具体的には、特定部２１によって受信ウィンドウの開始位置及び長さを特定してから、検出部２２は、前記受信ウィンドウを位置決めし、さらに、前記受信ウィンドウ内で基地局によって送信されるＰＤＳＣＨを検出することができる。検出部２２は、当該分野における公知の方法を使用してＰＤＳＣＨを持つサブフレームを検出することができるため、ここではその説明を省略する。
【００８０】
ＨＡＲＱフィードバック部２３は、前記受信ウィンドウ内で検出したデータ（ＰＤＳＣＨ）に対するＨＡＲＱフィードバック情報をバンドリングして送信することができる。具体的には、ＨＡＲＱフィードバック部２３は、受信したそれぞれのＰＤＳＣＨに対して復号化を行い、さらに、復号化結果に従って該ＰＤＳＣＨに対するフィードバック情報、即ちＨＡＲＱフィードバック情報を生成することができる。そして、ＨＡＲＱフィードバック部２３は、上記した方式に従って、前記受信ウィンドウ内で検出した複数のデータに対するフィードバック情報に対して論理計算を行い、さらに、計算結果をフィードバック情報として基地局に送信することができる。これにより、ＨＡＲＱフィードバック部２３は、前記受信ウィンドウ内で検出した複数のデータに対するフィードバック情報をバンドリングして基地局に送信することができる。ある実施形態では、ＨＡＲＱフィードバック部２３は、前記受信ウィンドウ終了後の所定の時刻で、前記受信ウィンドウ内で検出したデータに対するＨＡＲＱフィードバック情報をバンドリングして送信することができる。前記所定の時刻は、実際の必要に応じて柔軟に設定することができ、さらに、予めＵＥ及び基地局に設定するか、或いは基地局によって設定してＵＥに通知することができる。例えば、前記受信ウィンドウ終了後の４ｍｓ（第４サブフレーム）で前記フィードバック情報を送信するように、前記所定の時刻を前記受信ウィンドウ終了後の４ｍｓに設定することができる。
【００８１】
前記受信ウィンドウ内で検出したデータに対するＨＡＲＱフィードバック情報をバンドリングして送信する際に、ＨＡＲＱフィードバック部２３は、上りリンク制御チャネル（ＰＵＣＣＨ）又は上りリンク共有チャネル（ＰＵＳＣＨ）において、前記ＨＡＲＱフィードバック情報をバンドリングして送信することができる。具体的には、前記受信ウィンドウ終了後の所定の時刻でのサブフレームは、ＰＵＳＣＨを送信するようにスケジューリングされる可能性もあるし、ＰＵＣＣＨを送信するようにスケジューリングされる可能性もある。前記サブフレームがＰＵＳＣＨを送信するようにスケジューリングされる場合、ＨＡＲＱフィードバック部２３は、該ＰＵＳＣＨを利用して前記ＨＡＲＱフィードバック情報を載せることができる。一方、前記サブフレームがＰＵＣＣＨを送信するようにスケジューリングされる場合、ＨＡＲＱフィードバック部２３は、該ＰＵＣＣＨを利用して前記ＨＡＲＱフィードバック情報を載せることができる。
【００８２】
以下、図８を参照して本開示実施例による基地局を説明する。
【００８３】
図８に示すように、本開示実施例による基地局１０は、特定部１１と受信部１２を備える。留意すべきは、ここで、簡素化のために、基地局における本開示の実施例と密接に関係する部品だけを示し、基地局のその他の部品を省略するが、これは制限的なものではなく、必要に応じて、基地局は、その他の部品、例えば、様々なデータ処理部を備えてもよいことである。特定部１１と受信部１２の機能の詳細は、図６を参照して説明した方法と基本的に同じであるため、ここでは同じ内容に対する説明を省略する。
【００８４】
特定部１１は、ＵＥによるＨＡＲＱバンドリングを行うデータの受信ウィンドウを特定することができる。
【００８５】
具体的には、特定部１１は、前記受信ウィンドウの長さ及び開始位置を特定することにより、前記受信ウィンドウを特定することができる。特定部１１は、様々な方式を採用して前記受信ウィンドウの長さを特定することができる。
【００８６】
ある実施形態では、特定部１１は、前記受信ウィンドウ（ＨＡＲＱバンドリングウィンドウ）の長さを直接設定することができる。基地局は、例えば、送信部（図示せず）で、設定された長さを指示する情報をシグナリングによってＵＥに送信することができる。
【００８７】
他の実施形態では、上述したように、前記受信ウィンドウの長さは、予め定義した値であってもよく、特定部１１は、該予め定義した値を読み取ることにより前記受信ウィンドウの長さを特定することができる。
【００８８】
他の実施形態では、特定部１１は、前記受信ウィンドウの長さを暗黙的に特定することができる。例えば、特定部１１は、ＵＥに送信されるデータ（例えば、ＰＤＳＣＨ）の繰り返し数及び制御情報（例えば、ＰＤＣＣＨ）の繰り返し数に基づいて、前記受信ウィンドウの長さを特定することができる。
【００８９】
他の実施形態では、特定部１１は、ＵＥから前記長さを指示する情報を受信することにより、前記受信ウィンドウの長さを特定することができる。
【００９０】
また、特定部１１は、様々な方式を採用して前記受信ウィンドウの開始位置を特定することができる。
【００９１】
ある実施形態では、特定部１１は、フレームの番号及び該フレームに含まれるサブフレームの番号並びに前記受信ウィンドウの長さに基づいて、前記受信ウィンドウの開始位置を特定することができる。例えば、上記した方式に従って前記受信ウィンドウの開始位置を特定することができるため、ここではその説明を省略する。
【００９２】
他の実施形態では、特定部１１は、フレームに含まれるそれぞれのサブフレームのうちＰＤＳＣＨを持つサブフレームを前記受信ウィンドウの開始位置として特定することができ、ここで、前記ＰＤＳＣＨの下りリンクアサインメント指示子（ＤＡＩ）が所定値を有する。前記所定値は、実際の必要に応じて柔軟に設定することができ、さらに、予めＵＥ及び基地局に設定するか、或いは基地局によって設定してＵＥに通知することができる。
【００９３】
受信部１２は、ＵＥによってバンドリングして送信された、該ＵＥが前記受信ウィンドウ内で検出したデータに対するＨＡＲＱフィードバック情報を受信する。
【００９４】
ある実施形態では、受信部１２は、ＵＥによって前記受信ウィンドウ終了後の所定の時刻でバンドリングして送信された、該ユーザー装置が前記受信ウィンドウ内で検出したデータに対するＨＡＲＱフィードバック情報を受信することができる。前記所定の時刻は、実際の必要に応じて柔軟に設定することができ、さらに、予めＵＥ及び基地局に設定するか、或いは基地局によって設定してＵＥに通知することができる。
【００９５】
また、上述したように、ＵＥは、前記受信ウィンドウ内で検出したデータに対するＨＡＲＱフィードバック情報をバンドリングして送信する際に、ＰＵＣＣＨ又はＰＵＳＣＨにおいて前記ＨＡＲＱフィードバック情報をバンドリングして送信することができる。これに応じて、基地局側では、受信部１２は、ＰＵＣＣＨ又はＰＵＳＣＨにおいて前記ＨＡＲＱフィードバック情報を受信することができる。
【００９６】
前記フィードバック情報を受信してから、基地局は、例えば、復号化部（図示せず）によって復号化を行ってＰＤＳＣＨの送信に成功したかを確認することができる。例えば、複数のＰＤＳＣＨに対するフィードバック情報が論理積計算の実施を通じてバンドリングして送信される際に、基地局によって受信したバンドリングして送信されたフィードバック情報が０であると、前記複数のＰＤＳＣＨにおける少なくとも一つは正常に受信されなかったことを示し、よって前記複数のＰＤＳＣＨの再送を要求することができる。
【００９７】
本開示実施例による上記ＨＡＲＱフィードバック情報を送信する方法、ＵＥ及び基地局を利用すれば、ＨＤＤ  ＦＤＤ  ＭＴＣシステムにおいて、ＨＡＲＱバンドリングして送信するデータを便利に特定でき、さらに、これらのデータに対するフィードバック情報をバンドリングして送信することができる。
【００９８】
本明細書において、「含む（ｉｎｃｌｕｄｉｎｇ）」、「含んでいる（ｃｏｍｐｒｉｓｉｎｇ）」、およびそれらのいかなる変形は、包括的であることが意図されることに、留意されたい。よって、一連の要素を含む手順、方法、物品又はデバイスは、それらの要素だけではなく、明確に示されないその他の要素も含む、或いは、これらの手順、方法、物品又はデバイスに固有の要素も含む。さらなる制限がない場合、文言「……を含む」によって制限される要素は、前記要素を含む手順、方法、物品又はデバイスにその他の同じ要素も備えることを排除しない。
【００９９】
最後に、上述した一連の処理は、ここで前記した順番で、時間系列で実行される処理だけではなく、時間順序の代わりに並行または別々に実行される処理も含むことに、留意されたい。
【０１００】
上記の実施形態の説明を通して、当業者は、本開示が、ソフトウェアと必要なハードウェアプラットフォームとによって実施され得ることを明らかに理解することができ、もちろん、すべてがハードウェアによって実施され得る。このような理解に基づき、背景技術に寄与する本開示の技術案の全てまたは一部をコンピュータソフトウェア製品として実現することができる。該コンピュータソフトウェア製品は、ＲＯＭ／ＲＡＭ、磁気ディスク、光ディスクなどの記憶媒体に格納されてもよく、コンピュータ装置（パーソナルコンピュータ、サーバ、またはネットワーク装置などであり得る）に、本発明の様々な実施形態または実施形態のいくつかの部分に記載された方法を実行させるための多数の命令を含む。
【０１０１】
以上、本開示を詳細に説明した。本開示の原理および実施形態は、特定の実施例を参照して説明してきたが、以上の実施例は、本開示の方法およびそのアイデアの理解に寄与するためのものである。一方、当業者にとって、本開示の思想に従って、具体的な実施形態及び応用範囲においては変更され得る。以上により、本明細書の内容は、本開示を限定するものと解釈されるべきではない。
【図１】
2019530281.tif 000003
【図２】
2019530281.tif 000004
【図３Ａ】
2019530281.tif 000005
【図３Ｂ】
2019530281.tif 000006
【図４】
2019530281.tif 000007
【図５】
2019530281.tif 000008
【図６】
2019530281.tif 000009
【図７】
2019530281.tif 000010
【図８】
2019530281.tif 000011
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
ハイブリッド自動再送要求（ＨＡＲＱ）フィードバック情報を送信する方法であって、
ＨＡＲＱバンドリングを行うデータの受信ウィンドウを特定することと、
前記受信ウィンドウ内でデータを検出することと、
前記受信ウィンドウ内で検出したデータに対するＨＡＲＱフィードバック情報をバンドリングして送信することと、
を含む、方法。
【請求項２】
ＨＡＲＱバンドリングを行うデータの受信ウィンドウを特定することは、
前記受信ウィンドウの長さ及び開始位置を特定することを含む、請求項１に記載の方法。
【請求項３】
ＨＡＲＱバンドリングを行うデータの受信ウィンドウを特定するように配置される特定部と、
前記受信ウィンドウ内でデータを検出するように配置される検出部と、
前記受信ウィンドウ内で検出したデータに対するＨＡＲＱフィードバック情報をバンドリングして送信するように配置されるＨＡＲＱフィードバック部と、を備える、ユーザー装置。
【請求項４】
前記特定部は、前記受信ウィンドウの長さ及び開始位置を特定することにより、前記受信ウィンドウを特定するように配置される、請求項３に記載のユーザー装置。
【請求項５】
前記特定部は、前記長さを指示する情報を含む上位レイヤシグナリングを受信するように配置される、請求項４に記載のユーザー装置。
【請求項６】
前記受信ウィンドウの長さは、予め定義した値である、請求項４に記載のユーザー装置。
【請求項７】
前記特定部は、物理下りリンク共有チャネルの繰り返し数及び物理下りリンク制御チャネルの繰り返し数に基づいて、前記受信ウィンドウの長さを特定するように配置される、請求項４に記載のユーザー装置。
【請求項８】
前記特定部は、フレームの番号及び該フレームに含まれるサブフレームの番号並びに前記受信ウィンドウの長さに基づいて、前記受信ウィンドウの開始位置を特定するように配置される、請求項４ないし７のいずれか一項に記載のユーザー装置。
【請求項９】
前記特定部は、フレームに含まれるそれぞれのサブフレームのうち物理下りリンク共有チャネルを持つサブフレームを、前記受信ウィンドウの開始位置として特定するように配置され、前記物理下りリンク共有チャネルの下りリンクアサインメント指示子が所定値を有する、請求項４ないし７のいずれか一項に記載のユーザー装置。
【請求項１０】
前記ＨＡＲＱフィードバック部は、前記受信ウィンドウ終了後の所定の時刻で、前記受信ウィンドウ内で検出したデータに対するＨＡＲＱフィードバック情報をバンドリングして送信するように配置される、請求項３ないし９のいずれか一項に記載のユーザー装置。
【請求項１１】
前記ＨＡＲＱフィードバック部は、上りリンク制御チャネル又は上りリンク共有チャネルにおいて前記ＨＡＲＱフィードバック情報をバンドリングして送信する、請求項３ないし１０のいずれか一項に記載のユーザー装置。
【請求項１２】
ユーザー装置によるＨＡＲＱバンドリングを行うデータの受信ウィンドウを特定するように配置される特定部と、
ユーザー装置によってバンドリングして送信された、該ユーザー装置が前記受信ウィンドウ内で検出したデータに対するＨＡＲＱフィードバック情報を受信するように配置される受信部と、を備える、基地局。
【請求項１３】
前記特定部は、前記受信ウィンドウの長さ及び開始位置を特定することにより、ユーザー装置によるＨＡＲＱバンドリングを行うデータの受信ウィンドウを特定するように配置される、請求項１２に記載の基地局。
【請求項１４】
前記特定部は、フレームに含まれるそれぞれのサブフレームのうち物理下りリンク共有チャネルを持つサブフレームを、前記受信ウィンドウの開始位置として特定するように配置され、前記物理下りリンク共有チャネルの下りリンクアサインメント指示子が所定値を有する、請求項１３に記載の基地局。
【請求項１５】
前記受信部は、ユーザー装置によって前記受信ウィンドウ終了後の所定の時刻でバンドリングして送信された、該ユーザー装置が前記受信ウィンドウ内で検出したデータに対するＨＡＲＱフィードバック情報を受信するように配置される、請求項１２ないし１４のいずれか一項に記載の基地局。
【国際調査報告】
2019530281.tif 000012
2019530281.tif 000013
2019530281.tif 000014
2019530281.tif 000015